(57)【要約】      （修正有）【課題】角度制御ユニットの設置によりブラケットと電気ボックス構造の間の角度を任意に調節でき、発光ユニットの投光方向の角度を任意に調節できることで、操作が便利になるＬＥＤ照明装置を提供する。【解決手段】ＬＥＤ照明装置は、ランプハウジング本体４を含み、ランプハウジング本体４の上方には電気ボックス構造２が設置され、下方には発光ユニットが設置され、電気ボックス構造２上にはブラケット１がさらに設置される。ブラケット１は角度制御ユニット５と電気ボックス構造２により任意の角度に調節して接続でき、ブラケット１はＬＥＤ照明装置の取付目標位置に取り付けられる。【選択図】図１
0003222908.tif 000002
【実用新案登録請求の範囲】
【請求項１】
ランプハウジング本体を含み、前記ランプハウジング本体の上方には電気ボックス構造が設置され、下方には発光ユニットが設置され、前記電気ボックス構造上にはブラケットがさらに設置され、前記ブラケットは角度制御ユニットと前記電気ボックス構造により角度を任意に調節して接続でき、前記ブラケットはＬＥＤ照明装置の取付目標位置に取り付けられることを特徴とする、ＬＥＤ照明装置。
【請求項２】
前記角度制御ユニットは第一ギアプレート、第二ギアプレート及び締結部材を含み、前記第一ギアプレートが前記電気ボックス構造上に取り付けられるとともに前記第二ギアプレートは前記ブラケット上に取り付けられ、又は前記第一ギアプレートが前記ブラケット上に取り付けられるとともに前記第二ギアプレートは前記電気ボックス構造上に取り付けられ、
前記第一ギアプレートと前記第二ギアプレートは噛合するとともに、前記締結部材により固定接続されることを特徴とする、請求項１に記載のＬＥＤ照明装置。
【請求項３】
前記第一ギアプレートと前記第二ギアプレートは相対して同軸上に設置され、
前記第一ギアプレートの前記第二ギアプレートに面した一側面上には少なくとも１つの環状凹溝が同軸上に設けられ、前記第二ギアプレートの前記第一ギアプレートに面した一側面上には少なくとも１つのギアリング凸部が対応して配置され、前記ギアリング凸部は前記環状凹溝内に嵌め込まれることで噛合することを特徴とする、請求項２に記載のＬＥＤ照明装置。
【請求項４】
前記ギアリング凸部及び前記環状凹溝の断面は台形であることを特徴とする、請求項３に記載のＬＥＤ照明装置。
【請求項５】
前記ブラケットはＵ字型であり、前記ブラケットの両側面はそれぞれ前記角度制御ユニットにより前記電気ボックス構造の両側と接続することを特徴とする、請求項１、請求項２又は請求項３に記載のＬＥＤ照明装置。
【請求項６】
前記電気ボックス構造は電気ボックスハウジングを含み、前記電気ボックスハウジングの下端は前記ランプハウジング本体上に取り付けられ、上端にはカバープレートが蓋をするように設けられ、前記カバープレートには配線孔が設けられることを特徴とする、請求項１に記載のＬＥＤ照明装置。
【請求項７】
前記電気ボックス構造内には電源及び防雷装置が設置されることを特徴とする、請求項１又は請求項６に記載のＬＥＤ照明装置。
【請求項８】
落下防止ワイヤーをさらに含み、前記落下防止ワイヤーの一端は前記電気ボックス構造に接続し、他端はＬＥＤ照明装置の取付目標位置部分に接続することを特徴とする、請求項１に記載のＬＥＤ照明装置。
【請求項９】
前記発光ユニットは少なくとも１の発光モジュールを含み、前記発光モジュールは放熱器及び前記放熱器上に蓋をするように設けられる防汚カバーを含み、前記防汚カバーと前記放熱器の間には密閉収容空間が形成され、前記密閉収容空間内には前記放熱器上に設置される基板を含み、前記基板上にはＬＥＤ素子が設置され、前記ＬＥＤ素子上にはレンズが覆設されることを特徴とする、請求項１に記載のＬＥＤ照明装置。
【請求項１０】
前記防汚カバーには強化ガラスが用いられることを特徴とする、請求項９に記載のＬＥＤ照明装置。
【請求項１１】
前記防汚カバーと前記放熱器の縁部分は複数の独立した留め具により取り外し可能に接続され、かつ前記防汚カバーと放熱器の縁の間には密着させるシールリングを備えることを特徴とする、請求項９に記載のＬＥＤ照明装置。
【請求項１２】
前記防汚カバーの縁には水平張出縁が設けられ、前記放熱器の縁には水平方向の係合縁を有し、前記水平張出縁と前記係合縁は合わさって密着し、前記留め具により合わせて固定されることを特徴とする、請求項１１に記載のＬＥＤ照明装置。
【請求項１３】
前記留め具はＵ字型であり、前記留め具の一側辺は前記水平張出縁を押さえ、他側辺は前記係合縁を押さえることを特徴とする、請求項１２に記載のＬＥＤ照明装置。
【請求項１４】
前記留め具の一側辺の長さは前記水平張出縁の張り出した部分の長さと等しいことを特徴とする、請求項１３に記載のＬＥＤ照明装置。
【請求項１５】
前記留め具の他側辺の前記係合縁に面する一面上には係合凸部が設けられ、前記係合縁上の対応する位置には係合口が設けられ、前記係合凸部が前記係合口内に嵌め込まれることを特徴とする、請求項１３に記載のＬＥＤ照明装置。
【請求項１６】
前記留め具の両側辺間の距離は前記水平張出縁と前記係合縁の高さの和に等しいことを特徴とする、請求項１３、請求項１４又は請求項１５に記載のＬＥＤ照明装置。
【請求項１７】
前記放熱器の前記防汚カバー側とは反対側の一面上には複数の放熱フィンが配置され、前記放熱フィン上には切り欠きを有することを特徴とする、請求項９に記載のＬＥＤ照明装置。
【考案の詳細な説明】
【技術分野】
【０００１】
本考案は照明及び照明設計技術分野に関し、具体的には、ＬＥＤ照明装置に関する。
【背景技術】
【０００２】
国際社会において二酸化炭素排出量の削減や省エネが提唱される中、人々は代替光源を探し求め、ＬＥＤ光源は探求の対象となってきた。ＬＥＤ照明は省エネ、長寿命、高い適用性、短い応答時間、環境へのやさしさ、華やかな色彩、純度の高い発光色などの長所を有し、照明業界において発展方向にある。
【考案の概要】
【考案が解決しようとする課題】
【０００３】
投光器は、特定の照射面上の照度を周囲の環境より高くする照明器具である。通常投光器は必要な方向へ照準を定めるが、既存の投光器は角度調整が不便で、毎回一定角度（例えば５度）にしか回転できず、自由に回転させられない。
【課題を解決するための手段】
【０００４】
既存の投光器が抱える任意の角度調節ができないという問題を解決するため、本考案が提供するＬＥＤ照明装置は、ランプハウジング本体を含み、前記ランプハウジング本体の上方には電気ボックス構造が設置され、下方には発光ユニットが設置され、前記電気ボックス構造上にはブラケットがさらに設置され、前記ブラケットは角度制御ユニットと前記電気ボックス構造により任意の角度に調節して接続でき、前記ブラケットはＬＥＤ照明装置の取付目標位置に取り付けられる。
【０００５】
好ましくは、前記角度制御ユニットは第一ギアプレート、第二ギアプレート及び締結部材を含み、前記第一ギアプレートが前記電気ボックス構造上に取り付けられるとともに前記第二ギアプレートは前記ブラケット上に取り付けられ、又は前記第一ギアプレートが前記ブラケット上に取り付けられるとともに前記第二ギアプレートは前記電気ボックス構造上に取り付けられ、
前記第一ギアプレートと前記第二ギアプレートは噛合するとともに、前記締結部材により固定接続される。
【０００６】
好ましくは、前記第一ギアプレートと前記第二ギアプレートは相対して同軸上に設置され、
前記第一ギアプレートの前記第二ギアプレートに面した一側面上には少なくとも１つの環状凹溝が同軸上に設けられ、前記第二ギアプレートの前記第一ギアプレートに面した一側面上には少なくとも１つのギアリング凸部が対応して配置され、前記ギアリング凸部は前記環状凹溝内に嵌め込まれることで噛合する。
【０００７】
好ましくは、前記ギアリング凸部及び前記環状凹溝の断面は台形である。
【０００８】
好ましくは、前記ブラケットはＵ字型であり、前記ブラケットの両側面はそれぞれ前記角度制御ユニットにより前記電気ボックス構造の両側と接続する。
【０００９】
好ましくは、前記電気ボックス構造は電気ボックスハウジングを含み、前記電気ボックスハウジングの下端は前記ランプハウジング本体上に取り付けられ、上端にはカバープレートが蓋をするように設けられ、前記カバープレートには配線孔が設けられる。
【００１０】
好ましくは、前記電気ボックス構造内には電源及び防雷装置が設置される。
【００１１】
好ましくは、落下防止ワイヤーをさらに含み、前記落下防止ワイヤーの一端は前記電気ボックス構造に接続し、他端はＬＥＤ照明装置の取付目標位置部分に接続する。
【００１２】
好ましくは、前記発光ユニットは少なくとも１の発光モジュールを含み、前記発光モジュールは放熱器及び前記放熱器上に蓋をするように設けられる防汚カバーを含み、前記防汚カバーと前記放熱器の間には密閉収容空間が形成され、前記密閉収容空間内には前記放熱器上に設置される基板を含み、前記基板上にはＬＥＤ素子が設置され、前記ＬＥＤ素子上にはレンズが覆設される。
【００１３】
好ましくは、前記防汚カバーには強化ガラスが用いられる。
【００１４】
好ましくは、前記防汚カバーと前記放熱器の縁部分は複数の独立した留め具により取り外し可能に接続され、かつ前記防汚カバーと放熱器の縁の間には密着させるシールリングを備える。
【００１５】
好ましくは、前記防汚カバーの縁には水平張出縁が設けられ、前記放熱器の縁には水平方向の係合縁を有し、前記水平張出縁と前記係合縁は合わさって密着し、前記留め具により合わせて固定される。
【００１６】
好ましくは、前記留め具はＵ字型であり、前記留め具の一側辺は水平張出縁を押さえ、他側辺は前記係合縁を押さえる。
【００１７】
好ましくは、前記留め具の一側辺の長さは前記水平張出縁の張り出した部分の長さと等しい。
【００１８】
好ましくは、前記留め具の他側辺の前記係合縁に面する一面上には係合凸部が設けられ、前記係合縁上の対応する位置には係合口が設けられ、前記係合凸部が前記係合口内に嵌め込まれる。
【００１９】
好ましくは、前記留め具の両側辺間の距離は前記水平張出縁と前記係合縁の高さの和に等しい。
【００２０】
好ましくは、前記放熱器の前記防汚カバー側とは反対側の一面上には複数の放熱フィンが配置され、前記放熱フィン上には切り欠きを有する。
【考案の効果】
【００２１】
本考案は以上に述べた技術案を採用することで、既存技術と比べて、次の利点やプラス効果を有する。
【００２２】
本考案が提供するＬＥＤ照明装置は、角度制御ユニットの設置によりブラケットと電気ボックス構造の間の角度を任意に調節でき、発光ユニットの投光方向の角度を任意に調節できるので、操作が便利になる。
【００２３】
添付の図面と合わせて以下に詳細を説明することにより、上述した内容やその他の特徴及び利点をより明確に理解できるようにする。
【図面の簡単な説明】
【００２４】
【図１】本考案が提供するＬＥＤ照明装置の全体構造を示す図である。
【図２】本考案が提供するＬＥＤ照明装置の分解図である。
【図３】本考案の第一ギアプレートの構造を示す図である。
【図４】本考案の第二ギアプレートの構造を示す図である。
【図５】本考案の角度制御ユニットを組み付けた状態を示す図である。
【図６】本考案の図５のＡ―Ａ線断面図である。
【図７】本考案のＬＥＤモジュールの分解図である。
【図８】本考案の留め具の構造を示す図である。
【考案を実施するための形態】
【実施例】
【００２５】
本考案の実施例を示した添付図を参照されたい。以下に本考案について詳しく説明するが、本考案は多くの異なる形式により実施することもでき、ここに記載される実施例に限定されない。ここに実施例を記載するのは、十分で完全な開示により、当業者が本考案の範囲を完全に理解できるようにするためである。添付図面では、明確にするために、層や領域のサイズ及び相対サイズ拡大されることがある。
【００２６】
図１から図６を参照されたい。本考案が提供するＬＥＤ照明装置は、ランプハウジング本体４を含み、ランプハウジング本体４の上方には電気ボックス構造２が設置され、下方には発光ユニットが設置され、電気ボックス構造２上にはブラケット１がさらに設置され、ブラケット１は角度制御ユニット５と電気ボックス構造２により角度を任意に調節して接続でき、ブラケット１はＬＥＤ照明装置の取付目標位置に取り付けられる。
【００２７】
本考案が提供するＬＥＤ照明装置は、角度制御ユニット５の設置によりブラケット１と電気ボックス構造２の間の角度を任意に調節でき、発光ユニットの投光方向の角度を任意に調節できるので、操作が便利になる。
【００２８】
本実施例では、ランプハウジング本体４は主梁構造４０１を含み、主梁構造４０１の長手方向に沿った両側には取付スロットが設けられ、発光素子は少なくとも１つのＬＥＤモジュール６を含み、ＬＥＤモジュール６の両端が主梁構造４０１の一端から取付スロット内に挿設されるとともに、固定部材によりＬＥＤモジュール６のランプハウジング本体４への取り付け固定が実現される。ランプハウジング本体４は２つの側梁４０２をさらに含み、側梁４０２は主梁構造４０１に設けられた取付スロットの両側に覆設され、ＬＥＤモジュール６の端部を覆い、ＬＥＤモジュール６の端部が露出しないようにする。
【００２９】
上述のランプハウジング本体４の構造はシンプルなので、ＬＥＤモジュールの取り付けが迅速で簡単になる。もちろん、その他実施例におけるランプハウジング本体４の構造形式も具体的な状況に応じて調整可能であり、本実施例により限定されない。
【００３０】
本実施例では、電気ボックス構造２は電気ボックスハウジング２０２を含み、電気ボックスハウジング２０２の下端はランプハウジング本体４上（主梁構造４０１の上部）に取り付けられ、電気ボックスハウジング２０２の上端にはカバープレート２０１が蓋をするように設けられて密閉される電気ボックスを構成し、電気ボックス内には電源や防雷装置７などの電気設備が設置されるが、本実施例により限定されない。
【００３１】
さらに、カバープレート２０１上には配線孔８が設けられ、電気ボックス内のケーブルを配線孔８から引き出せる。
【００３２】
さらに、電気ボックス構造２には落下防止ワイヤー３を設置し、落下防止ワイヤー３の一端は電気ボックス構造２に接続し、他端はＬＥＤ照明装置の取付目標位置部分又は支持部材として機能する箇所に接続し、落下防止の役割を果たす。本実施例では、電気ボックス構造２の両端にそれぞれ落下防止ワイヤー３が設置されるが、もちろん、その他実施例における落下防止ワイヤー３の数量は具体的状況に応じて調整でき、本実施例により限定されない。
【００３３】
本実施例では、ブラケット１はＵ字型であり、ブラケット１の両側面はそれぞれ前記角度制御ユニットにより電気ボックス構造２の両側と接続する。ブラケット１はブラケットを取り付ける目標位置部分に長穴タイプの取付孔１０１をさらに設ける。
【００３４】
図２から図６を合わせて参照すると、本実施例では、角度制御ユニット５は第一ギアプレート５０１、第二ギアプレート５０２及び締結部材５０３を含む。第一ギアプレート５０１は複数の取付孔５０１３が円周方向に配置され、接続部材を合わせることで第一ギアプレート５０１が電気ボックス構造２に取り付けられる。第二ギアプレート５０２は複数の取付孔５０２２が円周方向に配置され、接続部材を合わせることで第二ギアプレート５０２がブラケット１に取り付けられる。もちろん、その他実施例では、第一ギアプレート５０１をブラケット１に取り付け、第二ギアプレート５０２を電気ボックス構造２に取り付けることも可能であり、本実施例により限定されない。第一ギアプレート５０１と第二ギアプレート５０２は噛合し、締結部材５０３はブラケット１、第二ギアプレート５０２の中心孔５０２３、第一ギアプレート５０１の中心孔５０１２を順に貫通した後、電気ボックス構造２にねじ部分を締め付けて接続する。
【００３５】
第一ギアプレート５０１と第二ギアプレート５０２は相対して同軸上に設置され、第一ギアプレート５０１の第二ギアプレート５０２に面した一側面上には２つの環状凹溝５０１１が同軸上に設けられ、第二ギアプレート５０２の第一ギアプレート５０１に面した一側面上に２つのギアリング凸部５０２１が対応して配置され、ギアリング凸部５０２１は環状凹溝５０１１内に嵌め込まれることで噛合する。使用時は、締結部材５０３を緩め、電気ボックス構造２及びランプハウジング本体４は、第一ギアプレート５０１が環状凹溝５０１１に相対するギアリング凸部５０２１を回転させることにより、任意の角度まで回すことができ、目標位置まで回した後、締結部材５０３により締め付けて固定する。
【００３６】
もちろん、その他実施例では、環状凹溝５０１１やギアリング凸部５０２１の設置個数は具体的な状況に応じて１個のみ又は複数個に調整でき、本実施例により限定されない。
【００３７】
さらに、ギアリング凸部５０２１及び環状凹溝５０１１の断面は台形であり、その他の形状と比較して、台形形状は噛合する接触面積が増大する。締結部材を締める時は、ギアリング凸部５０２１と環状凹溝５０１１の間の摩擦力が増すので、緩み難く、よりしっかり固定できる。
【００３８】
さらに、締結部材５０３上には工具差込口が設けられ、手で締め付ける場合は力がそれほど入らないために締め難いが、この工具差込口を利用して工具を用いればしっかりと締結できる。
【００３９】
本実施例では、発光モジュール６は放熱器６０７及び放熱器６０７上に蓋をするように設けられる防汚カバー６０１を含み、防汚カバー６０１と放熱器６０７の間には密閉収容空間が形成され、密閉収容空間内にはねじ６０５などの接続部材により放熱器６０７上に取り付けられる基板６０３を含み、基板６０３上にはＬＥＤ素６０４子が設置され、ＬＥＤ素子６０４上にはレンズ６０２が覆設される。防汚カバー６０１には、拭きやすいように強化ガラスを用いることが望ましい。
【００４０】
本実施例では、防汚カバー６０１と放熱器６０７の縁部分は複数の独立した留め具９により取り外し可能に接続され、かつ防汚カバー６０１と放熱器６０７の縁の間には密着させるシールリング６０６を備え、密閉効果を高める。防汚カバー６０１の縁には水平張出縁が設けられ、放熱器６０７の縁には水平方向の係合縁を有し、水平張出縁と係合縁は合わさって密着し、留め具９により合わせて固定される。図８が示すように、留め具９はＵ字型であり、留め具９の一側辺９０１は水平張出縁を押さえ、他側辺９０２は係合縁を押さえる。
【００４１】
留め具９の一側辺９０１の長さは水平張出縁の張り出した部分の長さと等しく、留め具９の側辺９０１と側辺９０２の間の距離は水平張出縁と係合縁の高さの和に等しい。上述した留め具の長さと幅は、強化ガラスと放熱器をより密着させ、隙間を作らないことを目的としてこのように設計されている。
【００４２】
留め具９の他側辺９０２の係合縁に面する一面上には係合凸部９０３が設けられ、係合縁上の対応する位置には係合口が設けられ、係合凸部９０３が係合口内に嵌め込まれることにより係合固定が実現される。
【００４３】
上述した防汚カバー６０１と放熱器６０７は取り外し可能な素子（留め具）により係合方式で接続することで、ＬＥＤ照明素子を防汚カバー６０１と放熱器６０７の間に密封できる。防汚カバー６０１はＬＥＤ照明素子を保護するのに適しており、防塵防油効果や汚れを拭き取りやすいという利点を有する。また、上述の係合接続方式により、防汚カバー６０１と放熱器６０７の間の組み付け及び取り外しが便利になり、組み付け及び取り外しの過程において補助工具が不要になる。
【００４４】
本実施例では、放熱器６０７の防汚カバー６０１側とは反対側の一面上には複数の放熱フィンが配置され、放熱フィン上には切り欠きが設けられ、切り欠きを設けることによりプラスチック溶射が容易になる。
【００４５】
本考案の精神又は領域を脱しない範囲で多くのその他の具体的形式により本考案を実施できることを、当業者は理解されよう。以上において本考案の実施例を説明したが、これらの実施例は本考案を限定するためのものではなく、本考案の実用新案登録請求の範囲で定められた精神及び領域内での変更や修正が可能であることは、理解されるべきである。
【符号の説明】
【００４６】
１  ブラケット
１０１  取付孔
２  電気ボックス構造
２０１  カバープレート
２０２  電気ボックスハウジング
３  落下防止ワイヤー
４  ランプハウジング本体
４０１  主梁構造
４０２  側梁  
５  角度制御ユニット
５０１  第一ギアプレート
５０１１  環状凹溝
５０１２  中心孔
５０１３  取付孔
５０２  第二ギアプレート
５０２１  ギアリング凸部
５０２２  取付孔
５０２３  中心孔
５０３  締結部材
６  ＬＥＤモジュール
６０１  防汚カバー
６０２  レンズ
６０３  基板
６０４  ＬＥＤ素子
６０５  ねじ
６０６  シールリング
６０７  放熱器
７  防雷装置
８  配線孔
９  留め具
９０１  側辺
９０２  側辺
９０３  係合凸部
【図１】
0003222908.tif 000003
【図２】
0003222908.tif 000004
【図３】
0003222908.tif 000005
【図４】
0003222908.tif 000006
【図５】
0003222908.tif 000007
【図６】
0003222908.tif 000008
【図７】
0003222908.tif 000009
【図８】
0003222908.tif 000010